(57)【特許請求の範囲】
【請求項１】
受口(11)に挿し口(12)が挿入される管継手に使用され、受口(11)の内周に形成されたロックリング溝(13)に収容されるものであり、リング部(2)を受口(11)の開口側が大径となるテーパー状とすると共に、一箇所で分割して弾力的に拡縮径可能とし、リング部(2)に外径方向に立ち上がる複数個の脚突起(3)を設け、ロックリング溝(13)への収納時に、リング部(2)の分割部と、受口(11)の内周に迫り出す抜止壁(14)の上下二箇所の分割部のうち、一方の分割部とを一致させ、リング部(2)の大径端と脚突起(3)とで管軸方向の移動を規制し、挿し口(12)に受口(11)からの引抜力が作用すると、挿し口(12)の外周の抜止突起(16)がリング部(2)の小径端に当接して、受口(11)から挿し口(12)が抜け止めされる管継手用ロックリング(1)において、前記リング部(2)の分割部の反対側に、大径側から前方へ突出して、受口(11)の抜止壁(14)の分割部へ延び、抜止壁(14)の上下二箇所の分割部のうち、他方の分割部に臨む端面に係合することにより、受口(11)に対して回り止めする回止突起(4)を設けたことを特徴とする管継手用ロックリング。
【発明の詳細な説明】
【技術分野】
【０００１】
この発明は、水道管等の離脱防止管継手に用いるロックリングに関するものである。
【背景技術】
【０００２】
水道管等の管継手において、地震等に伴う離脱を防止する構造のものとして、下記特許文献１に記載されたロックリングを使用するものが知られている。
【０００３】
このロックリング５１は、図６に示すように、テーパー状としたリング部５２を、一箇所で分割して弾力的に拡縮径可能とし、リング部５２の小径端側に外径方向に立ち上がる脚突起５３を３個設けたものとされている。
【０００４】
そして、上記ロックリング５１は、図７及び図８に示すように、一方の管の受口１１に他方の管の挿し口１２が挿入される管継手の施工に際し、受口１１の内周に形成されたロックリング溝１３に収容する。
【０００５】
ロックリング溝１３は、受口１１の内周に迫り出す抜止壁１４とその奥側の入止壁１５の間に形成され、抜止壁１４は、上下二箇所で分割されている。また、挿し口１２の開口端側の外周には、全周に亘って抜止突起１６が形成されている。
【０００６】
ロックリング５１をロックリング溝１３へセットする際には、リング部５２の大径側が受口１１の開口側へ向くようにして、縮径するように撓ませつつ、リング部５２の分割部と抜止壁１４の分割部を一致させ、抜止壁１４の分割部を介し受口１１の開口側からロックリング溝１３へ進入させた後、リング部５２の弾性により復元させる。
【０００７】
このようにロックリング５１をロックリング溝１３に収容すると、リング部５２の大径端が抜止壁１４に、脚突起５３が入止壁１５にそれぞれ当接することにより、ロックリング５１の管軸方向の移動が規制される。
【０００８】
その後、挿し口１２を、抜止突起１６がロックリング５１を乗り越えて、その奥側へ達する深さまで受口１１に挿入し、受口１１の開口端部の内周と挿し口１２の外周との間にゴム輪１７を介在させ、受口１１のフランジに押輪１８を宛がって、これらをボルトとナットとから成る締付部材１９で締め付けると、シール性が確保される。
【０００９】
このような管継手構造とすると、地震等により挿し口１２に受口１１からの引抜力が作用したとき、挿し口１２の抜止突起１６がロックリング５１のリング部５２の小径端に当接して抜け止めされ、水道管等の管路寸断による被害発生が防止される。
【先行技術文献】
【特許文献】
【００１０】
【特許文献１】意匠登録第１４３９５８１号公報
【発明の概要】
【発明が解決しようとする課題】
【００１１】
しかしながら、上記のようなロックリング５１は、ロックリング溝１３に収容した状態で、受口１１に対して回転すると、リング部５２と抜止壁１４の分割部がずれて、継手を解体する際、解体工具が打ち込みにくくなったり、挿し口１２を引き抜きにくくなったりして、解体作業をスムーズに行えなくなる場合がある。
【００１２】
そこで、この発明は、継手の解体をスムーズに行うことが可能なロックリングを得ることを課題とする。
【課題を解決するための手段】
【００１３】
上記課題を解決するため、この発明は、受口に挿し口が挿入される管継手に使用され、受口の内周に形成されたロックリング溝に収容されるものであり、リング部を受口の開口側が大径となるテーパー状とすると共に、一箇所で分割して弾力的に拡縮径可能とし、リング部に外径方向に立ち上がる複数個の脚突起を設け、ロックリング溝への収納時に、リング部の分割部と受口の内周に迫り出す抜止壁の分割部とを一致させ、リング部の大径端と脚突起とで管軸方向の移動を規制し、挿し口に受口からの引抜力が作用すると、挿し口の外周の抜止突起がリング部の小径端に当接して、受口から挿し口が抜け止めされる管継手用ロックリングにおいて、前記リング部に、大径側から前方へ突出して、受口の抜止壁の分割部へ延び、抜止壁の分割部に臨む端面に係合することにより、受口に対して回り止めする回止突起を設けたのである。
【発明の効果】
【００１４】
この管継手用ロックリングでは、受口のロックリング溝に収容した状態において、回止突起が抜止壁の分割部に臨む端面に係合して、受口に対する回転が阻止されるため、リング部と抜止壁の分割部同士が対応した位置関係が維持され、継手の解体をスムーズに行うことができる。
【図面の簡単な説明】
【００１５】
【図１】この発明の実施形態に係る管継手用ロックリングの斜視図
【図２】同上のロックリングの（ａ）平面図、（ｂ）正面図
【図３】同上のロックリングを使用した管継手構造の断面図
【図４】同上の受口側端面図
【図５】同上の管継手構造の切断斜視図
【図６】従来の管継手用ロックリングの斜視図
【図７】同上のロックリングを使用した管継手構造の断面図
【図８】同上の受口側端面図
【発明を実施するための形態】
【００１６】
以下、この発明の実施形態を添付図面に基づいて説明する。
【００１７】
図１及び図２に示すように、このロックリング１は、ステンレス鋼、ステンレスばね鋼又は耐食塗装を施したばね鋼等の金属板をプレスにより曲げて形成され、テーパー状としたリング部２を、一箇所で分割して弾力的に拡縮径可能とされている。
【００１８】
リング部２の小径端側には、外径方向に立ち上がる３個の脚突起３が設けられ、リング部２の大径側には、前方（後述する管継手構造における受口１１の開口側）へ突出する一対の回止突起４が設けられている。
【００１９】
脚突起３は、リング部２の分割部の両側と、分割部の反対側にそれぞれ配置され、脚突起３の基部両側方でリング部２を少し切り込んで、脚突起３を起立方向へ折り曲げることにより、脚突起３の後面とリング部２の小径側の端面とは、面一に揃っている。
【００２０】
回止突起４は、分割部の反対側に配置され、回止突起４の基部は、リング部２の内径側へ向けて僅かに斜め方向へ折り曲げられている。一対の回止突起４の外側縁間の寸法は、後述する受口１１の内周の抜止壁１４の幅よりも小さくなっている。
【００２１】
上記ロックリング１は、上述の従来のものと同様、図３乃至図５に示すように、一方の管の受口１１に他方の管の挿し口１２が挿入される管継手の施工に際し、受口１１の内周に形成されたロックリング溝１３に収容する。
【００２２】
ロックリング溝１３は、受口１１の内周に迫り出す抜止壁１４とその奥側の入止壁１５の間に形成され、抜止壁１４は、上下二箇所で分割されている。また、挿し口１２の開口端側の外周には、全周に亘って抜止突起１６が形成されている。
【００２３】
ロックリング１をロックリング溝１３へセットする際には、リング部２の大径側が受口１１の開口側へ向くようにして、縮径するように撓ませつつ、リング部２の分割部と抜止壁１４の分割部とを一致させ、抜止壁１４の分割部を介し受口１１の開口側からロックリング溝１３へ進入させた後、リング部２の弾性により復元させる。
【００２４】
このようにロックリング１をロックリング溝１３に収容すると、リング部２の大径端が抜止壁１４に、脚突起３が入止壁１５にそれぞれ当接することにより、ロックリング１の管軸方向の移動が規制される。
【００２５】
その後、挿し口１２を、抜止突起１６がロックリング１を乗り越えて、その奥側へ達する深さまで受口１１に挿入し、受口１１の開口端部の内周と挿し口１２の外周との間にゴム輪１７を介在させ、受口１１のフランジに押輪１８を宛がって、これらをボルトとナットとから成る締付部材１９で締め付けると、シール性が確保される。
【００２６】
このような管継手構造とすると、地震等により挿し口１２に受口１１からの引抜力が作用したとき、挿し口１２の抜止突起１６がロックリング１のリング部２の小径端に当接して抜け止めされ、水道管等の管路寸断による被害発生が防止される。
【００２７】
また、ロックリング１の回止突起４が抜止壁１４の分割部に臨む端面に係合して、ロックリング１の受口１１に対する回転が阻止されるため、リング部２と抜止壁１４の分割部同士が対応した位置関係が維持され、継手の解体をスムーズに行うことができる。
【符号の説明】
【００２８】
１  ロックリング
２  リング部
３  脚突起
４  回止突起
１１  受口
１２  挿し口
１３  ロックリング溝
１４  抜止壁
１５  入止壁
１６  抜止突起
１７  ゴム輪
１８  押輪
１９  締付部材
【図１】
0005641450.tif 000002
【図２】
0005641450.tif 000003
【図３】
0005641450.tif 000004
【図４】
0005641450.tif 000005
【図５】
0005641450.tif 000006
【図６】
0005641450.tif 000007
【図７】
0005641450.tif 000008
【図８】
0005641450.tif 000009